(57)【要約】【課題】  コードが患者の口唇部に接触することを防止し、しかも製造が容易な収納具を得る。【解決手段】  本発明はコード１６が連結されたＣＣＤセンサユニット１５を収納するための収納具１０である。ＣＣＤセンサユニット１５を収納するためのセンサ収納部１１は、コード１６が挿通するための開口を有する。  コード１６を覆うためのコード覆い部１２はセンサ収納部の開口に連設される。コード覆い部１２は、ＣＣＤセンサユニット１５をセンサ収納部１１に対して出し入れするために、長手方向に沿って開放されている。【選択図】        図１
2007037928.tif 000002
【特許請求の範囲】
【請求項１】
コードが連結された歯科用撮像素子ユニットを収納するための収納具であって、  前記コードが挿通するための開口を有し、撮像素子ユニットを収納するためのセンサ収納部と、  前記センサ収納部の開口に連設され、前記コードを覆うためのコード覆い部とを備え、  前記コード覆い部は、前記撮像素子ユニットを前記センサ収納部に対して出し入れするために、長手方向に沿って開放され、かつ一部の縁部において閉塞している  ことを特徴とする歯科用撮像素子ユニットの収納具。
【請求項２】
２枚の発泡性軟質樹脂シートを重ねて溶着することにより成形されることを特徴とする請求項１に記載の収納具。
【請求項３】
前記センサ収納部と前記コード覆い部が、前記発泡性軟質樹脂シートを溶着することによって形成されることを特徴とする請求項２に記載の収納具。
【請求項４】
前記コード覆い部の開放される部分が、前記発泡性軟質樹脂シートにミシン目を形成することによって成形されることを特徴とする請求項２に記載の収納具。
【請求項５】
２枚の発泡性軟質樹脂シートを重ねて構成され、コードが連結された歯科用撮像素子ユニットを収納するための複数の収納具が区画形成される収納具シートであって、  前記２枚の発泡性軟質樹脂シートを重ねて溶着することによって形成され、前記撮像素子ユニットを収納するためのセンサ収納部と、  前記２枚の発泡性軟質樹脂シートを重ねて溶着することによって形成され、前記コードを覆うためのコード覆い部とを備え、  前記センサ収納部は第１上縁部と第１先端部と第１下縁部によって区画され、  前記コード覆い部は前記第１上縁部に連続する第２上縁部と、前記第１下縁部に連続する第２下縁部と、前記第２上縁部と前記第２下縁部を連結する第２先端部とによって区画され、  前記第１上縁部、第１先端部、第１下縁部、および第２下縁部は、前記２枚の発泡性軟質樹脂シートを溶着することによって成形され、前記第２上縁部および第２先端部は前記２枚の発泡性軟質樹脂シートにミシン目を設けて成形される  ことを特徴とする収納具シート。
【請求項６】
２つの収納具が対になって区画形成され、一方の収納具の第１下縁部が他方の収納具の第２下縁部を兼ね、前記一方の収納具の第２下縁部が前記他方の収納具の第１下縁部を兼ねることを特徴とする請求項５に記載の収納具シート。
【請求項７】
前記２つの収納具によって構成される組が前記収納具シートの長手方向に沿って連続的に設けられることを特徴とする請求項６に記載の収納具シート。
【請求項８】
前記収納具は、その長手方向が、前記発泡性軟質樹脂シートの伸縮性が相対的に小さい方向に一致するようにして、前記発泡性軟質樹脂シートに区画形成されることを特徴とする請求項５に記載の収納具シート。
【発明の詳細な説明】
【技術分野】
【０００１】  本発明は、歯科用デジタルＸ線ＣＣＤセンサユニット等の歯科用撮像素子ユニットを患者の口腔内に挿入するために用いられる収納具に関する。
【背景技術】
【０００２】  従来歯科のＸ線撮影において、Ｘ線フイルムが使用されている。歯科用Ｘ線フイルムの包装形態としては、Ｘ線フイルムが保護紙で包まれ、さらに、その外側が柔軟な合成樹脂シートで覆われている。このような歯科用Ｘ線フイルムを患者の口腔内に装着して使用する場合、撮影後にＸ線フイルムを現像処理するため、合成樹脂シートは剥取られて廃棄される。すなわちＸ線フィルムは使い捨て方式のため、患者の唾液等の付着を考える必要は少なかった。【０００３】  これに対して近年、Ｘ線フイルムに代わってデジタルＸ線ＣＣＤセンサユニット等の撮像素子ユニットが使用されるようになってきている。ところがＣＣＤセンサユニットの場合は、他の患者にも反復使用されるため、唾液等の付着の問題、あるいはウイルス等の感染の恐れについても特別の配慮が必要であり、特許文献１に開示されているようなセンサ収納具を用いることも可能である。【特許文献１】特開２０００−８３９５２号
【発明の開示】
【発明が解決しようとする課題】
【０００４】  歯科用デジタルＸ線ＣＣＤセンサユニットはＣＣＤセンサ、シンチレータ等を硬質プラスチックスのケースで被覆したもので、コンピュータからの制御信号を伝送し、また画像信号をコンピュータに伝送するためにコードが連結されている。このため、歯牙のＸ線撮影時、ＣＣＤセンサユニットは上述のような収納具で覆われていても、コードの部分は患者の口唇部に接触しやすいという問題がある。【０００５】  本発明は、コードが患者の口唇部に接触することを防止することができる収納具、および複数の収納具が区画形成され、製造が容易な収納具シートを得ることを目的としてなされたものである。
【課題を解決するための手段】
【０００６】  本発明に係る歯科用撮像素子ユニットの収納具は、コードが挿通するための開口を有し、撮像素子ユニットを収納するためのセンサ収納部と、センサ収納部の開口に連設され、コードを覆うためのコード覆い部とを備え、コード覆い部は、撮像素子ユニットをセンサ収納部に対して出し入れするために、長手方向に沿って開放され、かつ一部の縁部において閉塞していることを特徴としている。【０００７】  好ましくは、収納具は、２枚の発泡性軟質樹脂シートを重ねて溶着することにより成形される。この場合、センサ収納部とコード覆い部は、例えば発泡性軟質樹脂シートを溶着することによって形成される。またコード覆い部の開放される部分が、発泡性軟質樹脂シートにミシン目を形成することによって成形されてもよい。【０００８】  また本発明に係る収納具シートは、２枚の発泡性軟質樹脂シートを重ねて構成され、コードが連結された歯科用撮像素子ユニットを収納するための収納具が区画形成される。この収納具シートは、２枚の発泡性軟質樹脂シートを重ねて溶着することによって形成され、撮像素子ユニットを収納するためのセンサ収納部と、２枚の発泡性軟質樹脂シートを重ねて溶着することによって形成され、コードを覆うためのコード覆い部とを備える。センサ収納部は第１上縁部と第１先端部と第１下縁部によって区画され、コード覆い部は第１上縁部に連続する第２上縁部と、第１下縁部に連続する第２下縁部と、第２上縁部と第２下縁部を連結する第２先端部とによって区画される。第１上縁部、第１先端部、第１下縁部、および第２下縁部は、２枚の発泡性軟質樹脂シートを溶着することによって成形され、第２上縁部および第２先端部は２枚の発泡性軟質樹脂シートにミシン目を設けて成形される。【０００９】  好ましくは、２つの収納具が対になって区画形成され、−方の収納具の第１下縁部が他方の収納具の第２下縁部を兼ね、一方の収納具の第２下縁部が他方の収納具の第１下縁部を兼ねる。この場合、２つの収納具によって構成される組が収納具シートの長手方向に沿って連続的に設けられてもよい。また、収納具は、その長手方向が、発泡性軟質樹脂シートの伸縮性が相対的に小さい方向に一致するようにして、発泡性軟質樹脂シートに区画形成されることが好ましい。
【発明の効果】
【００１０】  本発明によれば、撮像素子ユニットのコードが患者の口唇部に接触することが防止され、しかも製造が容易な収納具を得ることができる。
【発明を実施するための最良の形態】
【００１１】  以下、本発明の実施の形態を、図面を参照して説明する。  図１は、本発明の一実施形態である収納具１０に、歯科用撮像素子ユニットの一例であるデジタルＸ線ＣＣＤセンサユニット１５を収納する状態を示している。ＣＣＤセンサユニット１５に連結されたコード１６は、図示しないコンピュータに接続される。収納具１０は、ＣＣＤセンサユニット１５を収納するためのセンサ収納部１１と、センサ収納部１１に連続して設けられ、コード１６を覆うためのコード覆い部１２とを有する。【００１２】  収納具１０において、センサ収納部１１はＣＣＤセンサユニット１５よりも若干大きい矩形を呈し、第１上縁部１１ａと第１先端部１１ｂと第１下縁部１１ｃにおいて閉じ、コード覆い部１２側において開放している。換言すれば、センサ収納部１１のコード覆い部１２側は、コード１６が挿通するための開口になっており、コード覆い部１２は開口に連設されている。コード覆い部１２はセンサ収納部１１よりも細長く形成され、第２上縁部１２ａと第２先端部１２ｂにおいて開放し、第２下縁部１２ｃにおいて閉じている。すなわちコード覆い部１２は、ＣＣＤセンサユニット１５をセンサ収納部１１に対して出し入れするために、長手方向に沿って開放され、かつ一部の縁部において閉塞している。【００１３】  図２は収納具１０の輪郭形状を示し、図３は多数の収納具１０が区画形成された収納具シート３０を示している。収納具シート３０は、結晶性の汎用プラスティック系樹脂である２枚の発泡性軟質樹脂シート３１、３２を重ね、収納具１０の輪郭に沿って溶着またはミシン目を刻設することによって形成される。図２と図３において、実線が溶着された部位を示し、破線がミシン目の部位を示す。【００１４】  すなわちセンサ収納部１１は、第１上縁部１１ａと第１先端部１１ｂと第１下縁部１１ｃによって区画される。またコード覆い部１２は、第１上縁部１１ａに連続する第２上縁部１２ａと、第１下縁部１１ｃに連続する第２下縁部１２ｃと、第２上縁部１２ａと第２下縁部１２ｃを連結する第２先端部１２ｂによって区画される。第１上縁部１１ａ、第１先端部１１ｂ、第１下縁部１１ｃ、および第２下縁部１２ｃは、２枚の発泡性軟質樹脂シート３１、３２を溶着することによって成形される。第２上縁部１２ａおよび第２先端部１２ｂは２枚の発泡性軟質樹脂シート３１、３２にミシン目を設けて成形される。【００１５】  図２に示されるように収納具１０はボトル形状を有し、コード覆い部１２はセンサ収納部１１から離れるに従って幅が狭くなり、第２先端部１２ｂ側ではコード１６の形状に沿った細い矩形を呈する。またコード覆い部１２の開口幅９ａ、すなわちコード覆い部１２のセンサ収納部１１側における最も幅の広い部分の幅は、センサ収納部１１の間口幅９ｂより広く形成されている。【００１６】  図３から理解されるように、収納具シート３０では、２つの収納具１０が対になって区画形成される。具体的には、一方の収納具１０の第１下縁部１１ｃが他方の収納具１０′の第２下縁部１２ｃを兼ね、また一方の収納具１０の第２下縁部１２ｃが他方の収納具１０′の第１下縁部１１ｃを兼ねている。すなわち、対となる収納具１０、１０′は点対称に配���され、溶着部分（図２、３において実線で示される部分）を共用している。【００１７】  上述したように、２枚の発泡性軟質樹脂シート３１、３２は長尺の帯状に成形されて相互に重ねられ、センサ収納部１１の第１上縁部１１ａと第１先端部１１ｂと第１下縁部１１ｃ、およびコード覆い部１２の第２下縁部１２ｃにおいて溶着するとともに、コード覆い部１２の第２上縁部１２ａと第２先端部１２ｂにおいてミシン目を形成することにより得られる。発泡性軟質樹脂シート３１、３２は、その長手方向（符号Ａ）の伸縮性が比較的小さく、長手方向に沿って引っ張れば、溶着した部分は比較的簡単に引き裂くことができる。【００１８】  収納具シート３０の幅は収納具１０の幅（図２、３において上下方向の寸法）の例えば４倍以上であり、収納具シート３０は、ミシン目から成る折り目３３によって略正方形の領域に区画されている。１つの領域には２組の収納具１０、１０′すなわち４つの収納具１０、１０′が形成されており、収納具シート３０の長手方向に沿って連続的に設けられている。また各収納具の長手方向は、収納具シート３０の長手方向している。すなわち収納具は、その長手方向が、発泡性軟質樹脂シート３１、３２の伸縮性が相対的に小さい方向に一致するようにして、発泡性軟質樹脂シート３１、３２に区画形成されている。【００１９】  １枚の収納具シート３０には多数の領域が形成され、図４に示されるように、折り目３３において交互に反対方向に折られてケース２０に収容される。収納具シート３０は、図５に示されるように、ケース２０の上板に形成されたスリット状の取り出し口２１から引き出される。そして、１つの領域がケース２０から突出した状態で、１つの収納具１０の輪郭を形成する溶着部分（第１上縁部１１ａ、第１先端部１１ｂ、第１下縁部１１ｃ、第２下縁部１２ｃ）およびミシン目（第２上縁部１２ａ、第２先端部１２ｂ）において、その周囲の部分から切り取ればよい。これにより、図１に示すように、溶着部分において閉じ、かつミシン目の部分が開放した袋状の収納具１０が得られる。【００２０】  次に本実施形態の作用を説明する。  ケース２０から引っ張り出された収納部シート３０（図５参照）において、１つの収納具１０が溶着部分とミシン目の部分において切り離される。この切り離しにより、溶着部分は、積極的に剥がさない限り分離することはないが、ミシン目の部分は自然に開放する。したがって、図１に示されるように、ＣＣＤセンサユニット１５を傾斜させて第２上縁部１２ａからセンサ収納部１２の中に簡単に挿入することができる。またコード１６はコード覆い部１２によって覆われ、第２先端部１２ｂから突出することとなる。【００２１】  このようにしてセンサ収納部１２に収容されたＣＣＤセンサユニット１５を、図６に示されるように患者の口腔内に装着し、患者が指で支えると、コード１６はコード覆い部１２に覆われているので患者の口唇に直接接触することはない。したがってＣＣＤセンサユニット１５に患者の唾液が付着することはなく、新しい収納具１０を使うことにより、同じＣＣＤセンサユニットを他の患者に対して何度でも使用することができる。【００２２】  撮影終了後、ＣＣＤセンサユニット１��を患者の口腔から取り出す時は、口外に露出している収納具１０のコード覆い部１２をもって引き出すことにより患者の唾液に触れることも無く取り出せる。そして、コード覆い部１２を左右に引き裂くことにより、図７に示されるようにコード覆い部１２の第２下縁部１２ｃが剥がれ、さらに引き裂くことにより、図８に示されるように第１上縁部１１ａと第１下縁部１１ｃが剥がれて、ＣＣＤセンサユニット１５を容易に取り出すことができる。なお、上述したように、収納具１０の素材である発泡性軟質樹脂シート３１、３２は、その長手方向の伸縮性が比較的小さく、長手方向に引き裂き性を有するので、溶着部分を引き裂くことは容易である。【００２３】  撮影においてコード覆い部１２の開放部分が気になる場合、市販のインパルスシーラーや熱シーラーで簡単に溶着して塞ぐことが出来る。【００２４】  以上のように本実施形態の収納具１０は、コード１６がコード覆い部１２によって覆われるので、コード１６が患者の口唇部に接触することが確実に防止される。また、収納具１０は発泡性軟質樹脂シートにより成形されているので、人体に無害であるばかりでなく、廃棄した後の焼却処理も簡単であり、環境汚染も問題も生じない。  さらに、収納具１０が形成される収納具シート３０では、２つの収納具１０が対になって区画形成され、一方の収納具１０の第１下縁部１１ｃが他方の収納具１０′の第２下縁部１２ｃを兼ね、また一方の収納具１０の第２下縁部１２ｃが他方の収納具１０′の第１下縁部１１ｃを兼ねているので、溶着部分とミシン目の部分の形状が単純であり、収納具シート３０の製造が簡単である。【００２５】  なお上記実施形態はＣＣＤセンサユニット１５を歯科用Ｘ線撮影に用いる場合を例にとって説明されたが、本発明はＣＣＤ以外の撮像素子ユニットを用いる場合にも適用できる。
【図面の簡単な説明】
【００２６】
【図１】本発明の−実施形態である収納具にデジタルＸ線ＣＣＤセンサユニットを収納する状態を示す斜視図である。
【図２】収納具の輪郭形状を示す図である。
【図３】収納具シートを示す平面図である。
【図４】収納具シートがケースに収容された状態を示す図である。
【図５】ケースの取り出し口から収納具シートを引き出す状態を示す図である。
【図６】センサ収納部に収容されたＣＣＤセンサユニットを患者の口腔内に装着した状態を示す図である。
【図７】コード覆い部を引き裂く状態を示す図である。
【図８】センサ収納部を引き裂く状態を示す図である。
【符号の説明】
【００２７】  １０  収納具  １１  センサ収納部  １２  コード覆い部  １５  ＣＣＤセンサユニット  １６  コード覆い部  ３１、３２  発泡性軟質樹脂シート
【図１】
2007037928.tif 000003
【図２】
2007037928.tif 000004
【図３】
2007037928.tif 000005
【図４】
2007037928.tif 000006
【図５】
2007037928.tif 000007
【図６】
2007037928.tif 000008
【図７】
2007037928.tif 000009
【図８】
2007037928.tif 000010